(57)【要約】【課題】ブロアケースからブロアモータによって発生するブラシダストや塵埃の排出が防止できる清掃装置のブロアケース構造を提供することにある。【解決手段】ブロアケース本体８１内を入口部３５ａ及び排出口３４ａを備えると共にブロアファンが配置されるブロア室Ｉと、ブロアケース本体８１との間に空間を介してブロアモータ４０Ｂが配置される密閉されたブロアモータ室ＩＩとに隔壁８６により区画する。ブロアモータ４０Ｂの駆動によりにより発生した熱がブロアケース本体８１を介して放熱されると共に隔壁８６を介してブロア室Ｉ内を通過する作業空気によって冷却される。ブロアモータ４０Ｂの駆動によって発生したカーボンダストや回転部分の摩耗等により発生する塵埃はブロアモータ室ＩＩ内に蓄積されて、作業空気が流動するブロア室Ｉ内や外部に排出されることが防止できる。【選択図】図８
2008154634.tif 000002
【特許請求の範囲】
【請求項１】
吸引口を備えた吸気通路が集塵室を介してブロアケースに連通し、該ブロアケース内に配設されたブロアファン及び該ブロアファンを回転駆動するブロアモータを具備するブロア装置によって該集塵室側に連通する該入口部からブロアケース内に作業空気を吸引及び排出口から排出して集塵室内を負圧せしめて塵埃を上記吸引口から上記吸引通路を介して上記集塵室に吸引収容する清掃装置のブロアケース構造において、
中空状の外周壁内を上記作業空気が導入及び排出する入口部及び排出口を備えると共に上記ブロアファンが配置されるブロア室と、上記外周壁との間に空間を介して上記ブロアモータが配置される密閉されたブロアモータ室とに区画したことを特徴とする清掃装置のブロアケース構造。
【請求項２】
上記外周壁は、上記入口部及び上記排出口を備え開口端を有するブロアカバー及び上記ブロアカバーの開口端と対向する開口端を有する有底筒状のモータカバーを備え、
上記ブロアケースの開口端と上記モータカバーの開口端との間に外周部が結合されてブロアカバーと協働して上記ブロア室を形成しかつモータカバーと協働してブロアモータ室を形成する隔壁を備えたことを特徴とする請求項１に記載の清掃装置のブロアケース構造。
【請求項３】
上記隔壁は、上記ブロア室と上記ブロアモータ室とを連通する開口部を有し、
上記ブロア装置は、ブロアファンを収容するブロアファンハウジング及び該ブロアハウジングより小径で該ブロアファンハウジングに連接された上記ブロアモータを有し、
上記ブロア装置が上記開口部を貫通し、上記ブロアハウジングがシール部材を介して上記開口部に取り付けられると共に該開口部を閉塞することを特徴とする請求項２に記載の清掃装置のブロアケース構造。
【請求項４】
上記外周壁は、上記入口部及び上記排出口を備え開口端を有する中空状のブロアケース本体及び上記開口端を閉塞ぐカバー有し、
該ブロアケース本体の内周面に外周部が結合されて上記ブロアケース本体内を上記ブロア室と上記ブロアモータ室とに区画する隔壁を備えたことを特徴とする請求項１に記載の清掃装置のブロアケース構造。
【請求項５】
上記隔壁は上記ブロア室と上記ブロアモータ室とを連通する開口部を有し、
上記ブロア装置は、上記ブロアファンを収容する上記ブロアファンハウジング及び該ハウジングより小径で該ブロアファンハウジングに連接された上記ブロアモータを有し、
上記ブロア装置が上記開口部を貫通し、上記ブロアハウジングがシール部材を介して開口部に取り付けられると共に該開口部を閉塞することを特徴とする請求項４に記載の清掃装置のブロアケース構造。
【発明の詳細な説明】
【技術分野】
【０００１】
本発明は、清掃装置のブロアケース構造に関し、特に吸引口を備えた吸気通路が集塵室を介してブロアケースに連通し、該ブロアケース内に配設されたブロア装置によって集塵室内を負圧せしめて塵埃を吸引口から吸引通路を介して集塵室に吸引収容する清掃装置のブロアケース構造に関する。
【背景技術】
【０００２】
一般に、掃除機は、吸引口からブロアファンによって吸引された塵埃を集塵室に集積するように構成されている。この種の掃除機としては、例えば特許文献１がある。この掃除機は、吸引口が開口された集塵室に絞り筒を介してブロアケースが接続され、ブロアケース内にブロアモータを用いて回転駆動されるブロアファンを具備し、絞り筒内に粗塵用フィルタ及び細塵用フィルタが重ね合わされたフィルタ収容ケースを揺動可能に支持する集塵ケース配置され、集塵室に使い捨て自在な袋状のフィルタ、即ち集塵袋が設けられている。
【０００３】
この構成により、吸引口から吸引された塵埃を含む作業空気が集塵室に導かれて集塵袋に導入され、集塵袋によって塵埃が捕集され、かつ、集塵ケースに配設されたフィルタ収容ケース内の粗塵用フィルタ及び細塵用フィルタを通過する間に、塵芥袋を通過した粗塵及び細塵が捕集されたうえで作業空気がモータの内部を通過して機外に排出される。
【０００４】
一方、製薬会社の調剤エリア、病院、半導体工場等の空気清浄度が管理されたクリーンルーム等の清掃には清掃装置から多くの微粒子状の塵埃を排出すると、環境を悪化させて薬剤同士の交叉汚染による品質トラブル等を引き起こす要因となることから排出される塵埃を極力少なくする自走式清掃装置がある。この清掃装置は、図９に模式的に示すように、自走式清掃装置本体の設けられた洗浄液用タンクからノズル１０１を介して洗浄液を床面に散布する洗浄液手段、床面を磨く回転ブラシ１０２、スクイジ１０３が前方から後方に順に配置されている。更にスクイジ１０３の前方に吸込口１０４ａが開口する吸引通路１０４を介して連通する汚水タンク１０５及びブロアケース１０８を有し、ブロアケース１０８にブロアファン１０９ａ及びブロアモータ１０９ｂを備えたブロア装置１０９が設けられ、汚水タンク１０５とブロアケース１０８との間にプレフィルタ１３１及び微粒子状の塵埃を捕集可能なＨＥＰＡフィルタ１３２が介在している。ブロアケース１０８内に収容されたブロアモータ１０９ｂはブロアケース１０８に開口する空気導入口１１０ａからブロアケース１０８内に導入され導出口１１０ｂから排出される冷却空気によって冷却される。
【０００５】
このように構成された自走式清掃装置は、走行と共にノズル１０１から洗浄液用タンク内の洗浄液を床面に散布し、その洗浄液の存在下で回転する回転ブラシ１０２で床面を磨き、かつブロア装置１０９によって汚水タンク１０５内を負圧せしめて床面上の洗浄液を空気、即ち作業空気と共に汚水吸引通路１０４を介して汚水タンク１０５内に吸引して回収する。汚水タンク１０５からブロア装置１０９によって吸引されてブロアケース１０８内に吸引され排出口１０８ａから外部に放出される作業空気は、プレフィルタ１３１によって塵埃等が捕集され、更にＨＥＰＡフィルタ１３２によって微粒子状の塵埃が捕集され、極めて混在する塵埃が少ない清浄な空気が排出口１０８ａから放出される。
【０００６】
【特許文献１】特開平１０−２３４６３０号公報
【発明の開示】
【発明が解決しようとする課題】
【０００７】
上記特許文献１によると、吸引口から吸引された塵埃が集塵室内の集塵袋に捕集され、更にフィルタ収容ケース内の粗塵用フィルタ及び細塵用フィルタを通過する間に、集塵袋を通過した粗塵及び細塵が捕集されたうえで作業空気がモータの内部を通過して機外に排出される。
【０００８】
しかし、粗塵用フィルタ及び細塵用フィルタによって塵埃が捕集された作業空気がモータ内部を通過して機外に排出されることから、モータの駆動によりモータ内部の回転部の摩耗等によって発生する塵埃等が作業空気と共に機外に排出されることが懸念される。
【０００９】
一方、図９に示す清掃装置によると、ブロア装置１０９によって吸引されてブロアケース１０８内に吸引される作業空気は、プレフィルタ１３１によって塵埃等が捕集され、更にＨＥＰＡフィルタ１３２によって微粒子状の塵埃が捕集された作業空気が排出口１０８ａから放出される。
【００１０】
しかし、ブロアケース１０８内に収容されたブロアモータ１０９ｂをブロアケース１０８に開口する空気導入口１１０ａからブロアケース１０８内に導入され導出口１１０ｂから排出される冷却空気によって冷却することから、ブロアモータ１０９ｂの駆動により発生するブラシダストやモータ内部の回転部の摩耗等によって発生する塵埃等が冷却空気と共に空気導出口１１０ｂから外部に排出されることが懸念される。
【００１１】
従って、かかる点に鑑みなされた本発明の目的は、ブロアモータによって発生するブラシダストや塵埃の排出が防止できる清掃装置のブロアケース構造を提供することにある。
【課題を解決するための手段】
【００１２】
上記目的を達成する請求項１に記載の清掃装置のブロアケース構造の発明は、吸引口を備えた吸気通路が集塵室を介してブロアケースに連通し、該ブロアケース内に配設されたブロアファン及び該ブロアファンを回転駆動するブロアモータを具備するブロア装置によって該集塵室側に連通する該入口部からブロアケース内に作業空気を吸引及び排出口から排出して集塵室内を負圧せしめて塵埃を上記吸引口から上記吸引通路を介して上記集塵室に吸引収容する清掃装置のブロアケース構造において、中空状の外周壁内を上記作業空気が導入及び排出する入口部及び排出口を備えると共に上記ブロアファンが配置されるブロア室と、上記外周壁との間に空間を介して上記ブロアモータが配置される密閉されたブロアモータ室とに区画したことを特徴とする。
【００１３】
この発明によると、中空状の外周壁内を区画して形成されたブロアモータ室内に配設されたブロアモータの駆動によりブロアモータ室の外周壁に沿って流れると共に拡散する空気流が発生し、このブロアモータにより発生した熱が外周壁を介して放熱されると共に隔壁を介してブロア室内を通過する作業空気によって冷却される。
【００１４】
一方、ブロアモータ室は外周壁及び隔壁によって密閉され、このブロアモータ室内にブロアモータが収容されることから、ブロアモータの駆動によって発生したカーボンダストや回転部分の摩耗等により発生する塵埃はブロアモータ室内に蓄積されて、作業空気が流動するブロア室内や外部に排出されることが防止できる。
【００１５】
請求項２に記載の発明は、請求項１の清掃装置のブロアケース構造において、上記外周壁は、上記入口部及び上記排出口を備え開口端を有するブロアカバー及び上記ブロアカバーの開口端と対向する開口端を有する有底筒状のモータカバーを備え、上記ブロアケースの開口端と上記モータカバーの開口端との間に外周部が結合されてブロアカバーと協働して上記ブロア室を形成しかつモータカバーと協働してブロアモータ室を形成する隔壁を備えたことを特徴とする。
【００１６】
この発明によると、ブロアカバーと隔壁によってブロア室が形成され、隔壁とモータカバーによって密閉されたブロアモータ室が形成され、ブロアモータ室内に配設されたブロアモータの駆動により発生した熱がモータカバーを介して放熱されると共に隔壁を介してブロア室内を通過する作業空気によって冷却される。
【００１７】
一方、ブロアモータ室はモータカバー及び隔壁によって密閉され、ブロアモータの駆動によって発生したカーボンダストや回転部分の摩耗等により発生する塵埃はブロアモータ室内に蓄積されて、作業空気が流動するブロア室内や外部に排出されることが防止できる。
【００１８】
請求項３に記載の発明は、請求項２の清掃装置のブロアケース構造において、上記隔壁は、上記ブロア室と上記ブロアモータ室とを連通する開口部を有し、上記ブロア装置は、ブロアファンを収容するブロアファンハウジング及び該ブロアハウジングより小径でブロアファンハウジングに連接された上記ブロアモータを有し、上記ブロア装置が上記開口部を貫通し、上記ブロアハウジングがシール部材を介して上記開口部に取り付けられると共に該開口部を閉塞することを特徴とする。
【００１９】
この発明によると、隔壁に開口部を設け、シール部材を介してブロア装置のブロアファンハウジングを取り付け支持する簡単な構成でブロア装置を配設することができる。
【００２０】
請求項４に記載の発明は、請求項１の清掃装置のブロアケース構造において、上記外周壁は、上記入口部及び上記排出口を備え開口端を有する中空状のブロアケース本体及び上記開口端を閉塞ぐカバー有し、該ブロアケース本体の内周面に外周部が結合されて上記ブロアケース本体内を上記ブロア室とブロアモータ室とに区画する隔壁を備えたことを特徴とする。
【００２１】
この発明によると、隔壁が設けられたブロアケース本体の開口端をカバーで閉塞する簡単な構成でブロア室とブロアモータ室が形成され、ブロアモータ室内に配設されたブロアモータの駆動によりブロアケース本体に沿ってブロアモータ室内を流れると共に拡散する空気流が発生し、このブロアモータにより発生した熱がブロアケース本体及びカバーを介して放熱されると共に隔壁を介してブロア室内を通過する作業空気によって冷却される。
【００２２】
一方、ブロアモータ室はブロアケース本体、カバー及び隔壁によって密閉され、ブロアモータの駆動によって発生したカーボンダストや回転部分の摩耗等により発生する塵埃はブロアケース本体、カバー及び隔壁によって形成されたブロアモータ室内に蓄積されて、作業空気が流動するブロア室内や外部に排出されることが防止できる。
【００２３】
請求項５に記載の発明は、請求項４の清掃装置のブロアケース構造において、上記隔壁は上記ブロア室と上記ブロアモータ室とを連通する開口部を有し、上記ブロア装置は、上記ブロアファンを収容するブロアファンハウジング及び該ハウジングより小径で該ブロアファンハウジングに連接された上記ブロアモータを有し、上記ブロア装置が上記開口部を貫通し、上記ブロアハウジングがシール部材を介して開口部に取り付けられると共に該開口部を閉塞することを特徴とする。
【００２４】
この発明によると、隔壁に開口部を設け、シール部材を介してブロア装置のブロアファンハウジングを取り付け支持する簡単な構成でブロア装置を配設することができると共に、予めブロア装置にシール部材を取り付けた状態で、ブロアケース本体の開口端から挿入してシール部材を隔壁に取り付けることにより、簡単にブロア装置を配設できる。
【発明の効果】
【００２５】
本発明によると、密閉されたブロアモータ室内に配設されたブロアモータの駆動により発生した熱が外周壁を介して放熱されると共に隔壁を介してブロア室内を通過する作業空気によって冷却される。一方、ブロアモータの駆動によって発生したカーボンダストや回転部分の摩耗等により発生する塵埃はブロアモータ室内に蓄積されて、作業空気が流動するブロア室内や外部に排出されることが防止できる。
【発明を実施するための最良の形態】
【００２６】
以下本発明の清掃装置のブロアケース構造の実施の形態を自走式清掃装置を例に説明する。
【００２７】
（第１実施の形態）
第１実施の形態を図１乃至図７を参照して説明する。図１は自走式清掃装置１の正面図、図２は自走式清掃装置１の側面図、図３は自走式清掃装置１の下面図であり、図４は自走式清掃装置１の内部構成の配置を概略的に示す斜視図である。
【００２８】
自走式清掃装置１は、清掃範囲の障害物等を検知し避けながら被清掃面となる床面上を走行する走行装置１０と、床面の清掃を行う清掃装置２０と、これらを制御する制御装置８０を具備している。
【００２９】
走行装置１０は、自走式清掃装置１の下部に設けられ、図１乃至図４に示すように前後方向中央位置の左右に設けられた走行用の駆動輪１１と、前後にそれぞれ設けられて自走式清掃装置１の走行に応じて揺動自在な前キャスタ１２と後キャスタ１３とを具備している。左右の駆動輪１１は図３に示すように減速機を介して駆動モータ１４に連結されている。この自走式清掃装置１の走行操舵は、左右の駆動輪１１の回転数差により行われ、方向転換は左右の駆動輪１１を互いに逆回転させて行われる。また、前キャスタ１２より前部位置に前方方向及び左右方向の障害物の検知を行う障害物センサ１５が設けられ、後キャスタ１３の後部位置に車体側方の障害物を検知する障害物センサ１６が設けられている。
【００３０】
次に図１乃至図４及び模式的に示す図５を参照して清掃装置２０を説明する。
【００３１】
清掃装置２０は、洗浄液用タンク２２に貯留された洗浄液を自走式清掃装置１の下部に配置されたノズル２３から床面に散布する洗浄液散布手段２１、ノズル２３の後方においてブラシモータ２４によって回転駆動されて床面を磨く３個の回転ブラシ２５と、床面上の塵埃等が含まれた洗浄液を作業空気と共に吸引するスクイジ部２６が前方から後方に順に配置されている。スクイジ部２６は図３及び図４に示すように自走式清掃装置１の後部下方位置に略半円弧状に湾曲したスクイジ本体２７の下端に床面に接するゴム製のワイパ部２８が設けられ、ワイパ部２８の中央部前方に吸込口２９ａが開口する吸引通路２９を有している。
【００３２】
吸引通路２９は集塵室となる汚水タンク３０に接続され、汚水タンク３０に空気吸引通路３１を介して外周壁となるブロアケース３２が連続形成され、ブロアケース３２内に比較的大径に形成されたブロアファンを収容するブロアハウジング４０Ａと比較的小径に形成されてブロアファンを回転駆動するブロアモータ４０Ｂがユニット化されたブロア装置４０が収容されている。汚水タンク３０に接続された空気吸引通路３１とブロアケース３２との間に断面矩形で軸方向に延在するプレフィルタ７１及び微粒子状の塵埃を捕集可能な断面矩形で軸方向に延在するＨＥＰＡフィルタ７２が介在している。また、本実施の形態のように、散水式の清掃装置の場合はプレフィルタ７１の前段に図示しないミストセパレータを設けてもよい。
【００３３】
プレフィルタ７１は、図５のＡ部拡大図を図６に示すように矩形環状の外周面７１ａ及び入口側端面７１ｄ及び出口側端面７１ｅを備えたブロック状のフィルタ本体７１Ａを有し、その外周面７１ａ、入口側端面７１ｄの外周縁部分及び出口側端面７１ｅの外周縁部分が例えばアルミニウム合金及び樹脂コーティングからなる被覆材７１Ｂによって気密的に被覆されている。同様にＨＥＰＡフィルタ７２は、矩形環状の外周面７２ａ及び入口側端面７２ｄ及び出口側端面７２ｅを備えたブロック状のフィルタ本体７２Ｂを有し、その外周面７２ａ、入口側端面７２ｄの外周縁部分及び出口側端面７２ｅの外周縁部分が例えばアルミニウム合金及び樹脂コーティングからなる被覆材７２Ｂによって気密的に被覆されている。
【００３４】
ブロアケース３２は、図６に示すようにブロアカバー３３とモータカバー４５によって中空状に形成されている。ブロアカバー３３は矩形中空断面形状で軸方向に延在するボックス状で排出口３４ａが形成されたカバー本体３４と、カバーケ本体３４の一方の端面部３５に矩形筒状に形成された入口部３５ａに連続形成された出口側フィルタ保持部３６と、カバー本体３４の開口端に沿って延在して外方に折曲形成されたフランジ状で取付穴３９ａが穿設された連結フランジ部３９とを有している。
【００３５】
出口側フィルタ保持部３６は、端面部３５に形成された筒状の入口部３５ａの端縁に沿って外方に折曲形成されたフランジ状の連結フランジ部３７及び連結フランジ部３７から矩形筒状に突出形成され外周保持部３８を有し、この外周保持部３８の内周面にＨＥＰＡフィルタ７２の外周面７２ａの出口側端縁部分７２ｃが嵌合するフィルタ端縁外周保持部３８ａが形成される共に連結フランジ部３７の端面内周に沿ってＨＥＰＡフィルタ７２の出口側端面７２ｅの外周縁部分全周に亘って気密的に当接するフィルタ端面当接部３７ａが形成される。結合フランジ部３７の端縁に軸方向に延在する取付穴３７ｂが穿設されている。なお、端面部３５にはブロア装置４０を保持するブロア装置取付部３５ｂが形成されている。
【００３６】
隔壁４１は、ブロア装置４０のブロアハウジング４０Ａより若干大径の開口部開口部４１ａが形成されると共に外周部がブロアカバー３３に形成された連結フランジ部３７に重合可能で取付穴３７ｂに対応して取付穴４１ｂが穿設されている。モータカバー４５は、ブロアモータ４０Ｂとの間に冷却風の流れ及び拡散を許容する空間４９を隔てて覆う筒状の外周面４６と底部４７を有する有底筒状であって開口端に隔壁４１を介在して連結フランジ３９と対向すると共に取付穴４８ａが穿設された連結フランジ４８を有している。
【００３７】
一方、ブロアモータ４０Ｂを開口部４１ａに貫通させてブロアハウジング４０Ａの後面外周縁と隔壁４１の開口部４１ａの周縁部間に環状のシール部材５０を介在してボルト結合することによりブロア装置４０を隔壁４１に取り付けると共にブロアハウジング４０Ａの後面外周縁と開口部４１ａとの間を気密的にシールする。
【００３８】
そして、ブロアカバー３３の連結フランジ３９とモータカバー４５の連結フランジ４８を、隔壁４１の外周部を介在してボルト５１ａ及びナット５１ｂによって締結する。
【００３９】
これにより、ブロアカバー３３とモータカバー４５によって形成されブロアケース３２内が隔壁４１及びシール部材５０によって区画されて入口部３５ａから排出口３４ａに連続して作業空気の通路が形成されブロア室Ｉとモータカバー４５と隔壁４１によって密閉されたブロアモータ室ＩＩが形成される。
【００４０】
一方、ブロアモータ室ＩＩ内に配設されたブロアモータ４０Ｂの駆動によりモータカバー４５の内周面に沿って流れると共に拡散する空気流が発生し、このブロアモータ４０Ｂにより発生した熱はモータカバー４５を介して放熱されると共に隔壁４１及びブロアハウジング４０Ａを介してブロア室Ｉ内を通過する作業空気によって冷却される。また、ブロアモータ室ＩＩは隔壁４１によってブロア室Ｉと気密的に区画され、かつ密閉状態に維持されたブロアモータ室ＩＩ内にブロアモータ４０Ｂが収容されることから、ブロアモータ４０Ｂの駆動によって発生したカーボンダストや回転部分の摩耗等により発生する塵埃はモータケース４５によって形成されたブロアモータ室ＩＩ内に蓄積されて外部に排出されることはない。
【００４１】
プレフィルタ７１、ＨＥＰＡフィルタ７２の取付構造を図５のＢ部拡大図を示す図７を参照して説明する。
【００４２】
汚水タンク３０に連接された空気吸引通路３１に形成された入口側フィルタ保持部５２と、プレフィルタ７１とＨＥＰＡフィルタ７２の間に配置される中間フィルタ保持部材５５及び上記ブロアケース３２に形成された出口側フィルタ保持部３６を備えている。
【００４３】
入口側フィルタ保持部５２は、拡張形成された空気吸引通路３１の端縁に沿って外方に折曲形成されたフランジ状の連結フランジ部５３及び連結フランジ部５３から矩形筒状に突出形成され外周保持部５４を有し、この外周保持部５４の内周面にプレフィルタ７１の外周面７１ａの入口側端縁部分７１ｂが嵌合するフィルタ端縁外周保持部５４ａが形成される共に連結フランジ部５３の端面内周に沿ってプレフィルタ７１の入口側端面７２ｄの外周縁部分全周に亘って気密的に当接するフィルタ端面保持部５３ａが形成される。連結フランジ部５３の外周端縁近傍に軸方向に延在する取付穴５３ｂが穿設されている。
【００４４】
中間フィルタ保持部材５５は、中空状の連通部５６によって連結された前側フィルタ保持部５７と後側フィルタ保持部６０を備えている。前側フィルタ保持部５７は連通部５６の端縁に沿って外方に折曲形成されたフランジ状の連結フランジ部５８及び連結フランジ部５８から矩形筒状に突出形成され外周保持部５９を有し、この外周保持部５９の内周面にプレフィルタ７１の外周面７１ａの出口側端縁部分７１ｃが嵌合するフィルタ端縁外周保持部５９ａが形成される共に連結フランジ部５８の端面内周に沿ってプレフィルタ７１の出口側端面７１ｄの外周縁部分全周に気密的に当接するフィルタ端面保持部５８ａが形成される。連結フランジ部５８の外周端縁近傍に軸方向に延在する取付穴５８ｂが穿設されている。
【００４５】
同様に、後側フィルタ保持部６０は連通部５６の端縁に沿って外方に折曲形成されたフランジ状の連結フランジ部６１及び連結フランジ部６１から矩形筒状に突出形成され外周保持部６２を有し、この外周保持部６２の内周面にＨＥＰＡフィルタ７２の外周面７２ａの入口側端縁部分７２ｂが嵌合するフィルタ端縁外周保持部６２ａが形成される共に連結フランジ部６１の端面内周に沿ってＨＥＰＡフィルタ７２の入口側端面７２ｄの外周縁部分全周に気密的に当接するフィルタ端面保持部６１ａが形成される。連結フランジ部６１の外周端縁近傍に軸方向に延在する取付穴６１ｂが穿設されている。更に中間フィルタ保持部材５５には、中間フィルタ保持部材５５を走行装置のフレーム等に固設する取付ボルトが配設されているが説明の簡素化のため図示及び説明を省略する。
【００４６】
このように構成された入口側フィルタ保持部５２の外周保持部５４の内周面に形成されフィルタ端縁外周保持部５４ａにプレフィルタ７１の外周面７１ａの入口側端縁７１ｂを嵌入して入口側端面７１ｄの外周縁部分をフィルタ端面保持部５３ａに当接させる一方、中間フィルタ保持部材５５に形成された前側フィルタ保持部５７の外周保持部５９の内周面に形成されたフィルタ端縁外周保持部５９ａをプレフィルタ７１の外周面７１ａの出口側端縁部分６１ｃを嵌合し出口側端面７１ｄの外周縁部分にフィルタ端面保持部５８ａを当接させる。
【００４７】
この互いにプレフィルタ７１の両端に嵌合した入口側フィルタ保持部５２の連結フランジ部５３に穿設された取付穴５３ｂと中間フィルタ保持部材５５の連結フランジ部５８に穿設された取付穴５８ｂに挿通する取付ボルト６５ａ及びこの取付ボルト６５ａに螺合するナット６５ｂによる第１締結手段により緊張を付与して入口側フィルタ保持部材５２と中間フィルタ保持部５５を締結して入口側フィルタ保持部材５２と中間フィルタ保持部５５との間にプレフィルタ７１を挟持して固定する。これによりプレフィルタ７１を安定した状態に保持できと共に、入口側フィルタ保持部５２のフィルタ端面保持部５３ａをプレフィルタ７１の入口側端面７１ｄの外周端縁部分全周に気密的に当接した状態に、かつ前側フィルタ保持部５７のフィルタ端面保持部６０をプレフィルタ７１の出口側端面７１ｅの外周端縁部分全周に気密的に当接した状態に維持できる。
【００４８】
同様に、中間フィルタ保持部材５５に形成された後側フィルタ保持部６０の外周保持部６２の内周面に形成されフィルタ端縁外周保持部６２ａにＨＥＰＡフィルタ７２の外周面７２ａの入口側端縁７２ｂを嵌入して入口側端面７２ｄの外周縁部分をフィルタ端面保持部６１ａに当接させる一方、ブロアケース３２に形成された出口側フィルタ保持部３６に形成された外周保持部３８の内周面に形成されたフィルタ端縁外周保持部３８ａをＨＥＰＡフィルタ７２の外周面７２ａの出口側端縁部分７２ｃを嵌合し出口側端面７２ｄの外周縁部分に沿ってフィルタ端面保持部３７ａを当接させる。
【００４９】
この互いにＨＥＰＡフィルタ７２の両端に嵌合した中間フィルタ保持部材５５の後側フィルタ保持部６０の連結フランジ部６１に穿設された取付穴６１ｂとブロアケース３２に形成された出口側フィルタ保持部３６の連結フランジ部３７に穿設された取付穴３７ｂとに挿通する取付ボルト６６ａ及びこの取付ボルト６６ａに螺合するナット６６ｂによる第２締結手段により緊張を付与して後側フィルタ保持部６０と出口側フィルタ保持部３６を締結して中間フィルタ保持部材５５の後側フィルタ保持部６０と出口側フィルタ保持部３６との間にＨＥＰＡフィルタ７２を挟持して固定する。また、プレフィルタ７１及びＨＥＰＡフィルタ７２を取り付けにあたり、図示しないゴムパッキンを入口側端面、出口側端面の外周に設け、各フィルタ保持部で入口側端面と出口側端面を挟持して固定する。
【００５０】
これによりＨＥＰＡフィルタ７２を安定した状態に保持できと共に、後側フィルタ保持部６０のフィルタ端面保持部をＨＥＰＡフィルタ７２の入口側端面７２ｄの外周端縁部分全周に気密的に当接した状態に、かつ出口フィルタ保持部３６のフィルタ端面保持部をＨＥＰＡフィルタ７２の出口側端面７２ｅの外周端縁部分全周に気密的に当接した状態に維持できる。
【００５１】
このように構成された自走式清掃装置１は、走行と共にノズル２３から洗浄液用タンク２２内の洗浄液を床面に散布し、その後洗浄液の存在下で回転する回転ブラシ２５で床面を磨き、かつブロア装置４０によって汚水タンク３０内を負圧せしめてスクイジ部２６によって集積された塵埃を含む洗浄液と共に作業空気を汚水吸引通路２９の吸込口２９ａから吸引して洗浄液を汚水タンク３０内に吸引貯留して回収する。汚水タンク３０からブロア装置４０によって吸引されてブロアケース３２内に吸引され排出口３４ａから外部に排出される空気は、プレフィルタ７１によって塵埃等が捕集され、更にＨＥＰＡフィルタ７２によって微粒子状の塵埃が捕集され、極めて混在する塵埃が少ない清浄な空気が排出口３４ａから放出される。
【００５２】
従って、このように構成されたブロアケース３２によると、ブロアカバー３３とモータカバー４５によって形成されブロアケース３２内が隔壁４１、シール部材５０、ブロアハウジング４０Ａの後部によって気密的に区画されて入口部３４ａから排出口３４ａに連続して作業空気の通路が形成される共にブロアファンを収容するブロアハウジング４０Ａが収容されるブロア室Ｉとブロモータ４０Ｂが配置される密閉されたブロアモータ室ＩＩが形成される。
【００５３】
これによりブロアモータ室ＩＩ内に配設されたブロアモータ４０Ｂの駆動によりモータカバー４５に沿って流れると共に拡散する空気流が発生し、このブロアモータ４０Ｂにより発生した熱はモータカバー４５を介して放熱されると共に隔壁４１及びブロアハウジング４０Ａを介してブロア室Ｉ内を通過する作業空気によって冷却される。
【００５４】
一方、ブロアモータ室ＩＩは隔壁４１によってブロア室Ｉと気密的に区画され、かつ密閉状態に維持されたブロアモータ室ＩＩ内にブロアモータ４０Ｂが収容されることから、ブロアモータ４０Ｂの駆動によって発生したカーボンダストや回転部分の摩耗等により発生する塵埃はモータケース４５によって形成されたブロアモータ室ＩＩ内に蓄積されて、作業空気が流動するブロア室Ｉ内や外部に排出されることが防止できる。
【００５５】
（第２実施の形態）
図８を参照して本発明に第２実施の形態を説明する。なお、図８において図１乃至図７と対応する部分に同一符号を付することで該部の詳細な説明は省略する。
【００５６】
図８は第１実施の形態の図７に対応するブロアケース８０の断面図である。
【００５７】
このブロアケース８０は、矩形中空断面形状で軸方向に延在するボックス状の外周壁となるブロアケース本体８１を有し、ブロアケース本体８１の一方の端面部８２に形成された入口部３５ａに出口側フィルタ保持部３６が形成され、他方の開口端８３に沿って内方に折曲形成されたフランジ部８４が形成されている。このフランジ部８４にブロアケース本体８２の開口端８３を気密的に閉塞するカバー８５がボルト８５ａによって取り付けられる。また、端面部８２にブロア装置取付部３４ｂが形成されている。
【００５８】
ブロアケース本体８１の内周面の軸方向中央部内にブロア装置４０のブロアハウジング４０Ａより若干大径の開口部８６ａが開口する隔壁８６の外周部が溶接結合され、この隔壁８６によってブロアケース本体８１内が入口部３５ａ及び排出口３４ａを備えたブロア室Ｉとフロア室Ｉとブロアモータ室ＩＩに区画される。
【００５９】
ブロア装置取付部３４ｂにブロアハウジング４０Ａの前面が当接したブロア装置４０の後面外周縁と隔壁８６の開口部８６ａの周縁部８６ｂ間に環状のシール部材５０を介在してボルト８７ａ及び８７ｂにより結合してブロアケース本体８１内にブロア装置４０が取り付けられている。これによりブロアケース本体８１内が隔壁８６、シール部材５０、ブロア装置４０のブロアハウジング４０Ａの後部によって気密的にブロア室Ｉとブロアモータ室ＩＩに区画される。また、ブロア装置４０のブロアモータ４０Ｂとブロアケース本体８１と間に冷却風の流れ及び拡散を許容する空間８９が形成される。
【００６０】
このブロアケース８０の組立は、予めブロア装置４０のブロアハウジング４０Ａの後面にシール部材５０をボルト８７ａにより結合し、このシール部材５０が取り付けられたブロア装置４０をブロアケース本体８１の開口端８３側から挿入してブロアハウジング４０Ａを隔壁８６の開口部８６ａからブロア室Ｉ内に挿入してシール部材５０を隔壁８６の開口部８６ａの周縁部８６ｂに当接することにより、ブロア装置４０と隔壁８６の位置決めが得られ、シール部材５０を隔壁８６の開口部８６ａの周縁部８６ｂにボルト８７ｂにより結合することにより容易に取り付けることができる。しかる後、ブロアケース本体８１の開口端８３をカバー８５によって気密的に閉塞する。
【００６１】
このように構成されたブロアケース８０によると、ブロアモータ室ＩＩ内に配設されたブロアモータ４０Ｂの駆動によりブロアケース本体８１に沿って流れると共に拡散する空気流が発生し、このブロアモータ４０Ｂにより発生した熱はブロアケース本体８１及びカバー８５を介して放熱されると共に隔壁８６及びブロアハウジング４０Ａを介してブロア室Ｉ内を通過する作業空気によって冷却される。
【００６２】
一方、ブロアモータ室ＩＩは隔壁８６、ブロアハウジング４０Ａの後部及びシール５０によってブロア室Ｉと気密的に区画され、かつ密閉状態に維持されたブロアモータ室ＩＩ内にブロアモータ４０Ｂが収容されることから、ブロアモータ４０Ｂの駆動によって発生したカーボンダストや回転部分の摩耗等により発生する塵埃はブロアモータ室ＩＩ内に蓄積されて、作業空気が流動するブロア室Ｉ内や外部に排出されることが防止できる。
【００６３】
なお、本発明は、上記第１実施の形態に限定されることなく発明の趣旨を逸脱しない範囲で種々変更可能である。例えば、第１実施の形態におけるモータカバー４５や第２実施の形態のブロアケース本体８１に冷却フィン等を形成してブロアモータ４０Ｂの冷却を促進させることもできる。
【図面の簡単な説明】
【００６４】
【図１】本発明の第１実施の形態に係るブロアケース構造を備えた自走式清掃装置の正面図である。
【図２】自走式清掃装置の側面図である。
【図３】自走式清掃装置の下面図である。
【図４】自走式清掃装置の内部構成の配置を概略的に示す斜視図である。
【図５】清掃装置を模式的に示す図である。
【図６】図５のＡ部拡大図である。
【図７】図５のＢ部拡大図である。
【図８】本発明の第２実施の形態に係るブロアケース構造を示す図である。
【図９】従来の清掃装置を模式的に示す図である。
【符号の説明】
【００６５】
２０      清掃装置
２９      吸気通路
２９ａ    吸引口
３０      汚水タンク（集塵室）
３２      ブロアケース
３３      ブロアカバー（外周壁）
３４ａ    排出口
３５ａ    入口部
４０      ブロア装置
４０Ａ    ブロアファンハウジング
４０Ｂ    ブロアモータ
４１      隔壁
４１ａ    開口部
４５      モータカバー（外周壁）
５０      シール部材
８０      ブロアケース
８１      ブロアケース本体（外周壁）
８５      カバー
８６      隔壁
８３      開口部
Ｉ        ブロア室
ＩＩ      ブロアモータ室
【図１】
2008154634.tif 000003
【図２】
2008154634.tif 000004
【図３】
2008154634.tif 000005
【図４】
2008154634.tif 000006
【図５】
2008154634.tif 000007
【図６】
2008154634.tif 000008
【図７】
2008154634.tif 000009
【図８】
2008154634.tif 000010
【図９】
2008154634.tif 000011